(57)【要約】【課題】所定の軸心周りに変位可能に配設されたカバー部によって、載置面上の原稿をおさえ、読取部によって、当該原稿の画像を読み取る画像読取装置に関し、操作部を配設した場合であっても、装置の小型化に対応し得る画像読取装置を提供する。【解決手段】多機能機１は、原稿カバー部１０と、本体筐体６０を有している。原稿カバー部１０は、本体筐体６０上面後端の第１回動軸心１０Ｓ周りに変位可能に配設されており、閉じた場合に、本体筐体６０上面を構成するスキャナユニット７０の原稿載置面７１を覆う。原稿カバー部１０は、自動原稿搬送装置２０と、可動トレイ４０と、操作パネル５０を有している。可動トレイ４０は、原稿カバー部１０の左側端部に配設された第２回動軸心４０Ｓ周りに変位可能であり、開いた場合に給紙トレイとして機能する。操作パネル５０は、原稿カバー部１０上面の中央部分に配設されており、原稿載置面７１の上方に位置する。【選択図】図５
2014072717.tif 000002
【特許請求の範囲】
【請求項１】
原稿の画像を読み取る読取部と、
前記読取部によって読み取られる原稿が載置される載置面と、
前記載置面の上方を開放する位置と、載置面の上方を覆う位置との間で、第１回動軸心周りに変位可能に配設されたカバー部と、を有する画像読取装置であって、
前記カバー部は、
前記原稿を搬送しつつ、前記読取部によって当該原稿の画像を読み取る為の搬送部と、
ユーザからの入力を受け付ける操作部と、
前記カバー部の端部側において、前記第１回動軸心に交差する第２回動軸心周りに変位可能に配設され、閉じた場合に、前記カバー部上面の一部を構成し、開いた場合に、前記搬送部に搬送される原稿がセットされる給紙トレイとして機能する可動部材と、を有し、
前記可動部材における前記第２回動軸心の逆側端部は、
前記可動部材を開く場合に、前記操作部から離れる方向に変位し、
前記可動部材を閉じる場合に、前記操作部に近づくように構成されており、
前記操作部は、
前記カバー部上面であって、且つ、前記載置面の上方となる範囲に配設されている
ことを特徴とする画像読取装置。
【請求項２】
請求項１記載の画像読取装置であって、
前記カバー部は、
前記搬送部によって原稿が搬送される搬送経路の一部を構成し、前記給紙トレイとして機能する前記可動部材から搬送される原稿の搬送方向を反転させる第１経路を有し、
前記第１経路は、
前記操作部と上下方向に重ならない位置に形成されている
ことを特徴とする画像読取装置。
【請求項３】
請求項１又は請求項２記載の画像読取装置であって、
前記搬送部は、
前記給紙トレイとして機能する可動部材にセットされた原稿を、一枚ずつ分離して搬送する分離部と、を有し、
前記分離部は、
前記操作部と上下方向に重ならない位置に配設されている
ことを特徴とする画像読取装置。
【請求項４】
請求項２又は請求項３記載の画像読取装置であって、
前記搬送部は、
前記第１経路よりも搬送方向下流側に配設され、前記読取部によって読み取られた原稿を排紙する排紙部と、を有し、
前記排紙部は、
前記操作部と上下方向に重ならない位置に配設されている
ことを特徴とする画像読取装置。
【請求項５】
請求項４記載の画像読取装置であって、
前記可動部材は、開いた場合に、前記給紙トレイとして機能すると共に、前記排紙部によって排紙された原稿が積載される排紙トレイとしても機能する
ことを特徴とする画像読取装置。
【請求項６】
請求項２乃至請求項５の何れかに記載の画像読取装置であって、
前記カバー部は、
前記搬送経路において、前記第１経路とは異なる部分を構成する第２経路と、
前記原稿が搬送される経路を、前記第１経路と、前記第２経路とで切り換える切換部と、を有し、
前記切換部は、
前記操作部と上下方向に重ならない位置に配設されている
ことを特徴とする画像読取装置。
【請求項７】
請求項１乃至請求項６の何れかに記載の画像読取装置であって、
前記読取部は、
前記載置面の下方において、前記載置面に沿って移動可能に配設された第１読取部と、
前記カバー部において、前記搬送経路上に配設された第２読取部と、を有し、
前記第２読取部は、
前記操作部と上下方向に重ならない位置に配設されている
ことを特徴とする画像読取装置。
【請求項８】
請求項１乃至請求項７の何れかに記載の画像読取装置であって、
前記可動部材は、閉じた場合に、前記操作部と同一面を構成する
ことを特徴とする画像読取装置。
【請求項９】
請求項１乃至請求項８の何れかに記載の画像読取装置であって、
シートに画像を形成する画像形成部を備え、
前記画像形成部は、
画像形成されるシートの長手方向と、前記第１回動軸心の軸方向が平行となる向きで、前記シートを収容する収容部と、を有する
ことを特徴とする画像読取装置。
【請求項１０】
請求項９記載の画像読取装置であって、
前記画像形成部は、
所定の待機位置から往復移動可能に配設され、前記シートに対してインクを直接吹き付けるインクジェットヘッドと、を有し、前記インクジェットヘッドを用いたインクジェット方式により画像を形成し、
前記インクジェットヘッドの待機位置は、
前記給紙トレイとして機能する可動部材にセットされた原稿を、一枚ずつ分離して搬送する分離部、及び、前記第２回動軸心と上下方向に重なる位置である
ことを特徴とする画像読取装置。
【請求項１１】
請求項９記載の画像読取装置であって、
前記画像形成部は、
帯電させた感光体にトナーを付着させ、当該トナーをシート表面に転写した上で熱定着させることによって、画像を形成するものであり、
当該画像形成部の構成部品を駆動する為の駆動機構部と、
当該画像形成部における画像形成に要する電気を供給する為の給電部と、を有し、
前記搬送部は、
前記駆動機構部、又は、前記給電部の何れか一方の上方に位置している
ことを特徴とする画像読取装置。
【発明の詳細な説明】
【技術分野】
【０００１】
本発明は、原稿を載置する載置面上を開放する位置と閉鎖する位置とに所定の軸心周りに変位可能に配設されたカバー部を備え、カバー部が閉鎖する位置において載置面上の原稿を押え、読取部によって当該原稿から画像を読み取る画像読取装置に関する。
【背景技術】
【０００２】
従来、画像読取装置として、原稿が載置される載置面と、その載置面上を覆う閉鎖位置と、載置面上を開放する開放位置との間で所定の軸心周りに変位可能に配設されたカバー部と、読取部とを有し、カバー部を閉鎖位置とし、載置面上に載置された原稿の画像を読取部によって読み取る画像読取装置が知られている。
【０００３】
このような画像読取装置に関する発明として、例えば、特許文献１記載の発明が知られている。特許文献１記載の画像読取装置は、原稿カバーと、原稿ガラスと、原稿読取部とを有し、操作パネルを介して入力される開始指示に従って、原稿ガラス上の原稿から、原稿読取部によって、画像を読み取るように構成されている。
【先行技術文献】
【特許文献】
【０００４】
【特許文献１】特開２００６−１１１４１３号公報
【発明の概要】
【発明が解決しようとする課題】
【０００５】
ここで、近年、画像読取装置の分野においても、装置自体の小型化や、当該装置を配置した際の省スペース化が強く要望されている。この点、特許文献１記載の画像読取装置においては、当該画像読取装置の前面上部から前方に突出形成された部分に、操作パネルが配設されている。このような画像読取装置では、操作パネルが装置前方に突出形成されている為、装置上面の面積が大きくなってしまう。その結果、装置を設置した際の占有スペースを増大させてしまう。
【０００６】
本発明は、所定の軸心周りに変位可能に配設されたカバー部によって、載置面上の原稿をおさえ、読取部によって、当該原稿の画像を読み取る画像読取装置に関し、装置の小型化に対応し得る画像読取装置を提供する。
【課題を解決するための手段】
【０００７】
本発明の一側面に係る画像読取装置は、読取部と、載置面と、カバー部とを有し、載置面に載置された原稿の画像を、読取部によって読み取り得る。カバー部は、第１回動軸心周りに、前記載置面の上方を開放する位置と、載置面の上方を覆う位置との間で変位可能に配設されており、載置面の上方を覆った場合に、載置面上の原稿をおさえる機能を果たす。更に、カバー部は、搬送部と、操作部と、可動部材とを有している。可動部材は、第２回動軸心周りに変位可能に配設されており、開いた場合に給紙トレイとして機能する。従って、当該画像読取装置は、カバー部に配設された搬送部によって、給紙トレイとして機能する可動部材上の原稿を搬送しつつ、前記読取部によって当該原稿の画像を読み取り得る。又、当該画像読取装置によれば、前記操作部は、前記カバー部上面であって、且つ、前記載置面の上方となる範囲に配設されている為、操作部が特許文献１のように載置面の周囲から突出する位置に配設される場合に比べ、装置上面の面積を小さくでき、結果的に、装置設置時の省スペース化に貢献し得る。そして、可動部材を開いて、給紙トレイとして使用する際には、可動部材における第２回動軸心の逆側端部は、前記操作部から離れる方向に変位する為、当該画像読取装置は、給紙トレイとして機能する可動部材上に原稿をセットした場合であっても、操作部が原稿で隠れることはない。従って、当該画像読取装置によれば、原稿を給紙トレイ上にセットした場合であっても、ユーザは、快適に、操作部に対する操作を行い得る。更に、当該画像読取装置において、可動部材の第２回動軸心は、前記カバー部の端部側に位置している。そして、第２回動軸心の逆側端部は、前記可動部材を閉じると、前記操作部に近づくように変位し、可動部材は、閉じることによって、カバー部上面の一部を構成する。つまり、給紙トレイとして使用しない場合に、可動部材を閉じれば、カバー部上面の一部を構成する状態になる為、当該画像読取装置は、当該装置の小型化に対応し得る。
【０００８】
そして、本発明の他の側面に係る画像読取装置において、前記カバー部は、搬送経路の一部として、第１経路を有している。当該第１経路は、給紙トレイとして機能する前記可動部材から搬送される原稿の搬送方向を反転させる経路であり、前記操作部と上下方向に重ならない位置に形成されている。従って、第１経路と操作部が上下方向に重なることはない為、当該画像読取装置は、カバー部の厚みの増大を抑制することができ、上下方向における装置の小型化に貢献し得る。
【０００９】
又、本発明の他の側面に係る画像読取装置において、前記搬送部は、分離部を有しており、分離部によって、前記給紙トレイとして機能する可動部材にセットされた原稿を、一枚ずつ分離して搬送し得る。そして、当該画像読取装置によれば、前記分離部が、前記操作部と上下方向に重ならない位置に配設されている為、カバー部の厚みの増大を抑制することができ、上下方向における装置の小型化に貢献し得る。
【００１０】
そして、本発明の他の側面に係る画像読取装置において、前記搬送部は、前記第１経路よりも搬送方向下流側に排紙部を有し、当該排紙部により、読取部によって読み取られた原稿を排紙し得る。そして、当該画像読取装置によれば、前記排紙部が操作部と上下方向に重ならない位置に配設されている為、カバー部の厚みの増大を抑制することができ、上下方向における装置の小型化に貢献し得る。又、排紙部に原稿が排紙された状態でも、操作部が原稿で覆われることがなく、操作部を操作しやすい。
【００１１】
又、本発明の他の側面に係る画像読取装置においては、一の可動部材を給紙トレイ及び排紙トレイとして機能させることができるので、専用の排紙トレイを設ける場合に比べ、搬送部に係る構成を簡素化することができ、装置の小型化に貢献し得る。
【００１２】
そして、本発明の他の側面に係る画像読取装置において、カバー部は、第１経路とは異なる部分を構成する第２経路と、切換部とを有している為、前記切換部によって、原稿が搬送される経路を、第１経路と、前記第２経路との間で切り換えることができる。そして、当該画像読取装置によれば、前記切換部は、前記操作部と上下方向に重ならない位置に配設されている為、カバー部の厚みの増大を抑制することができ、上下方向における装置の小型化に貢献し得る。
【００１３】
又、本発明の他の側面に係る画像読取装置においては、前記読取部は、第１読取部と、第２読取部とを有している。第１読取部は、載置面の下方において、前記載置面に沿って移動可能に配設されており、第２読取部は、前記カバー部において、前記搬送経路上に配設されている。従って、当該画像読取装置によれば、搬送部によって原稿を搬送経路に沿って搬送する際に、第１読取部と第２読取部を用いて、原稿の画像を読み取り得る。そして、当該画像読取装置によれば、記第２読取部は、前記操作部と上下方向に重ならない位置に配設されている為、カバー部の厚みの増大を抑制することができ、上下方向における装置の小型化に貢献し得る。
【００１４】
そして、本発明の他の側面に係る画像読取装置において、前記可動部材は、閉じた場合に、前記操作部と同一面を構成する。即ち、当該画像読取装置によれば、カバー部上面に凹凸がない為、当該画像読取装置の見栄えを向上させることができ、更に、当該装置を収納する際の厚みを小型化し得る。又、装置に突出した部分（例えば、特許文献１の操作パネル）が存在する場合、運搬作業時の接触等に起因する衝撃が加わると、突出した部分の破損が生じやすい。この点、当該画像読取装置は、カバー部上面に凹凸がない為、運搬作業時等に破損する可能性を低減し得る。
【００１５】
又、本発明の他の側面に係る画像読取装置は、画像形成部を有しており、当該画像形成部によって、シートに画像を形成し得る。当該画像形成部は、画像形成されるシートを収容する収容部を有しており、当該収容部は、シートの長手方向と、前記第１回動軸心の軸方向が平行となる向きで、シートを収容している。シートの長手方向が第１回動軸心と平行となるように、シートを収容部に収容すると、画像形成部は、それに伴って第１回動軸心の方向に大きくなる。この点、当該画像読取装置によれば、その大きくなったスペースを利用して、カバー部に搬送部、操作部を効果的に配置できるので、カバー部の厚みの増大を抑制できる。又、シートの長手方向が第１回動軸心と平行となるように、シートを収容部に収容した場合、第１回動軸心と直交するように、シートの短手方向が位置することになる為、当該画像読取装置によれば、第２回動軸心の方向における装置の小型化に貢献し得る。
【００１６】
そして、本発明の他の側面に係る画像読取装置において、前記画像形成部は、インクジェットヘッドを有し、前記インクジェットヘッドを用いたインクジェット方式により画像を形成する。ここで、当該画像形成部は、シートの長手方向と、前記第１回動軸心の軸方向が平行となる向きで収容部に収容されたシートに対して、インクジェット方式により画像を形成する為、画像形成部は、それに伴って第１回動軸心の方向に大きくなる。当該画像読取装置によれば、前記インクジェットヘッドの待機位置は、分離部、及び、前記第２回動軸心と上下方向に重なる位置である為、画像形成部の構造によって長くなった第１回動軸心方向のスペースを利用して、分離部や、可動部材を配置することができ、もって、装置の小型化に貢献し得る。
【００１７】
又、本発明の他の側面に係る画像読取装置において、前記画像形成部は、駆動機構部と、給電部とを有し、帯電させた感光体にトナーを付着させ、当該トナーをシート表面に転写した上で熱定着させることによって、画像を形成する。ここで、当該画像形成部は、シートの長手方向と、前記第１回動軸心の軸方向が平行となる向きで収容部に収容されたシートに対して画像を形成する為、画像形成部は、それに伴って第１回動軸心方向に大きくなる。当該画像読取装置によれば、搬送部は、前記駆動機構部、又は、前記給電部の何れか一方の上方に位置するので、画像形成部の構造によって長くなった第１回動軸心方向のスペースを利用して、搬送部を配置することができ、もって、装置の小型化に貢献し得る。
【図面の簡単な説明】
【００１８】
【図１】第１実施形態に係る多機能機の正面断面図である。
【図２】第１実施形態に係る多機能機の側面断面図である。
【図３】多機能機における自動原稿搬送装置の構成を示す断面図である。
【図４】多機能機における経路切換機構部を示す断面図である。
【図５】第１実施形態に係る多機能機における操作パネルの位置関係を示す説明図である。
【図６】第２実施形態に係る多機能機の正面断面図である。
【図７】第２実施形態に係る多機能機の側面断面図である。
【図８】第２実施形態に係る多機能機における操作パネルの位置関係を示す説明図である。
【発明を実施するための形態】
【００１９】
以下、本発明に係る画像読取装置を、多機能機１に具体化した実施形態について、図面を参照しつつ詳細に説明する。
【００２０】
（第１実施形態）
先ず、第１実施形態に係る多機能機１の概略構成について、図１、図２を参照しつつ説明する。尚、以下の説明において、多機能機１が使用可能に設置された状態を基準として、多機能機１の上下方向を定義し、原稿カバー部１０の第１回動軸心１０Ｓ側を後側として、前後方向を定義して説明する。又、多機能機１の左右方向については、多機能機１の手前側（正面）から見た場合の左右方向として定義して説明する。
【００２１】
図１、図２に示すように、多機能機１は、原稿カバー部１０と、本体筐体６０とを有している。原稿カバー部１０は、本体筐体６０上面の後端縁に左右方向に延びる第１回動軸心１０Ｓ周りに開閉自在に配設されており、閉じた場合に本体筐体６０上面（即ち、原稿載置面７１）を覆うように構成されている。原稿カバー部１０は、閉じた場合に本体筐体６０上面を覆うため、原稿載置面７１上にセットされた原稿をその位置に固定する機能を果たす。尚、第１回動軸心１０Ｓは、原稿カバー部１０側から軸が突出することにより形成されていても、原稿カバー部１０が取り付けられる本体筐体６０側から軸が突出することにより形成されていてもよく、原稿カバー部１０が第１回動軸心１０Ｓ周りに回動できれば、他の構成であってもよい。
【００２２】
又、原稿カバー部１０は、自動原稿搬送装置２０（ＡＤＦ：Auto Document Feeder）と、可動トレイ４０と、操作パネル５０とを有している。自動原稿搬送装置２０は、原稿カバー部１０の中央部分よりも左側に配設されており、後述する可動トレイ４０上にセットされた原稿を連続して一枚ずつ給紙し、所定の搬送経路Ｒに沿って搬送した後、再度、可動トレイ４０に排紙する。当該多機能機１は、自動原稿搬送装置２０により原稿を搬送する途中で、本体筐体６０上部に配設されたスキャナユニット７０により原稿の画像を読み取る。自動原稿搬送装置２０の構成については、後に図面を参照しつつ詳細に説明する。
【００２３】
図１、図３に示すように、可動トレイ４０は、原稿カバー部１０上面の左側端部において、可動トレイ４０の一方の端部に設けられる第２回動軸心４０Ｓ周りに開閉自在に配設されている。図１、図３において破線で示すように、多機能機１の内側に向かって閉じた場合、当該可動トレイ４０は、自動原稿搬送装置２０の上方に対向して原稿カバー部１０の上面の一部を構成する。この時、可動トレイ４０の表面は、原稿カバー部１０と同一面を構成する（図１、図３中、破線参照）。又、可動トレイ４０の他方（第２回動軸心４０Ｓとは逆側）の端部は、当該可動トレイ４０を閉じる際には、原稿カバー部１０上面の中央部に配置された操作パネル５０に近づく。尚、第２回動軸心４０Ｓは、可動トレイ４０側から軸が突出することにより形成されていても、可動トレイ４０が取り付けられる原稿カバー部１０側から軸が突出することにより形成されていてもよく、可動トレイ４０が第２回動軸心４０Ｓ周りに回動できれば、他の構成であってもよい。
【００２４】
そして、可動トレイ４０は、多機能機１の外側に向かって開いた場合、図１、図３において実線で示すように、所定角度で傾斜した状態を保持する。即ち、第２回動軸心４０Ｓの逆側にあたる可動トレイ４０の他方の端部は、当該可動トレイ４０を開く際には、原稿カバー部１０上面の中央部の操作パネル５０から離れていき、原稿カバー部１０の左端よりも更に左側に位置する。図１、図３に示すように、自動原稿搬送装置２０による搬送対象である原稿は、開いた状態の可動トレイ４０上に、その長辺が左右方向に沿った状態（つまり、短辺が多機能機１の前後方向に沿った状態）で載置され得る。即ち、当該可動トレイ４０は、給紙トレイとして機能し得る。同時に、当該可動トレイ４０には、自動原稿搬送装置２０によって搬送された原稿が排出され積層され得る為、当該可動トレイ４０は、排紙トレイとしても機能する。
【００２５】
図１〜図５に示すように、操作パネル５０は、原稿カバー部１０上面の中央部分（前後方向及び左右方向における中央部分）に配設されており、複数の入力キーやタッチパネル、液晶ディスプレイ等を有している。当該操作パネル５０は、多機能機１に対する種々の指示を入力する際に、ユーザによって操作される。
【００２６】
そして、本体筐体６０は、スキャナユニット７０と、画像形成ユニット８０及び制御部を、その内部に収容している。スキャナユニット７０は、本体筐体６０内における上側部分に配設されており、本体筐体６０の上面に形成された原稿載置面７１を構成するコンタクトガラス７２、第１イメージセンサ７３、スライド軸、読取搬送モータ、及びフラットケーブル等を有している（図１参照）。当該スキャナユニット７０は、第１イメージセンサ７３によって、原稿載置面７１上に載置された原稿の画像を読み取る。スキャナユニット７０の構成については、後に図面を参照しつつ詳細に説明する。
【００２７】
画像形成ユニット８０は、スキャナユニット７０の下方に配設される。そして、本体筐体６０前面側から脱着可能に取り付けられた給紙カセット８１と、用紙供給部８２と、記録ヘッド８５と、プラテン８６と、排出口８７と、用紙取出口８８とを有している。画像形成ユニット８０は、制御部による制御に基づいて、給紙カセット８１に収容されている用紙を用いて、入力された画像データをインクジェット方式で印刷出力する。多機能機１は、スキャナユニット７０により読み取った画像に基づく画像データを対象として、画像形成ユニット８０を制御することで、コピー機能を実現する。又、多機能機１は、ネットワーク網を介して入力された印刷データを対象として、画像形成部を制御することで、プリンタ機能を実現する。画像形成ユニット８０の構成については、後に図面を参照しつつ詳細に説明する。
【００２８】
制御部は、ＣＰＵ、ＲＯＭ、及びＲＡＭ等を有している。制御部は、多機能機１におけるスキャナ機能やプリンタ機能を実現する為の制御の中枢を担う。
【００２９】
次に、自動原稿搬送装置２０の構成について、図面を参照しつつ詳細に説明する。図１、図３に示すように、当該自動原稿搬送装置２０は、分離部２１と、搬送ローラ２４ａと、大径搬送ローラ２４ｂと、ピンチローラ２３ａ〜２３ｃと、排紙ローラ２５ａを含む排紙部２５とを備えている。この分離部２１によって分離された原稿が、上記各ローラや自動原稿搬送装置２０内のガイド面によって案内されて搬送される経路が搬送経路Ｒ（図３参照）である。そして、搬送経路Ｒ上における搬送ローラ２４ａと大径搬送ローラ２４ｂとの間には、第２イメージセンサ２２が配置されている。更に、自動原稿搬送装置２０は、後述する経路切換機構部３５を備えている。
【００３０】
先ず、搬送経路Ｒの構成について説明する。当該搬送経路Ｒは、自動原稿搬送装置２０内部に形成されており、可動トレイ４０から多機能機１の左右方向へ延びる導入経路３０を有し、当該導入経路３０に連続し、操作パネル５０よりも左側に形成された湾曲状の第１経路３１を経て、再び可動トレイ４０に戻る排紙経路３３を有して構成されている。
【００３１】
導入経路３０は、原稿カバー部１０における可動トレイ４０の第２回動軸心４０Ｓ近傍からスキャナユニット７０側に向かって延びる傾斜面１０ａによって形成されている。この傾斜面１０ａに分離部２１が設けられている。又、傾斜面１０ａから連続し、原稿載置面７１と対向する連続面１０ｂには、後述する第１イメージセンサ７３の初期位置に対向する位置に開口部を有している。従って、傾斜面１０ａ、連続面１０ｂ、及び搬送ローラ２４ａ等のローラによって搬送経路Ｒの一部が形成され、原稿が搬送経路Ｒを搬送される途中で、当該開口部を介して第１イメージセンサ７３の読取範囲を通過し、原稿の画像が第１イメージセンサ７３によって読み取られる。
【００３２】
第１経路３１は、導入経路３０から連続する経路であり、自動原稿搬送装置２０の中央部分に配設された操作パネル５０の左側において、側面視略Ｕ字状に形成される部分である。第１経路３１は、可動トレイ４０から導入経路３０に沿って右方向に向かって搬送された原稿の搬送方向を１８０度変換して左方向に搬送する経路である（図３、図４参照）。
【００３３】
第２経路３２は、第１経路３１から分岐して形成されており、図４に示すように、第１経路３１の途中部分と原稿排出口３２Ａとの間を接続している。原稿排出口３２Ａは、原稿カバー部１０上面において、操作パネル５０の左側に形成された開口部である。又、図４に示すように、第１経路３１と第２経路３２の分岐点には、後述する経路切換機構部３５が配設されており、経路切換機構部３５を動かすことで、導入経路３０を搬送されてきた原稿の搬送先を、第１経路３１と、第２経路３２との間で切り換えることができる。
【００３４】
尚、第１実施形態においては、可動トレイ４０に載置された原稿が分離部２１において１枚ずつに分離され、導入経路３０を経て、第１経路３１、或いは第２経路３２を搬送される方向を原稿の搬送方向という。そして、搬送経路Ｒの幅は、原稿の短辺に相当する幅であって、原稿の短辺と同サイズ若しくは、原稿を円滑に搬送可能なように、原稿の短辺に対して一定の余裕を有するサイズを意味する。
【００３５】
続いて、自動原稿搬送装置２０を構成する各部について、詳細に説明する。先ず、分離部２１は、第２回動軸心４０Ｓよりも右側に配設されており、吸入ローラ２１ａと分離ローラ２１ｂとを有している。分離ローラ２１ｂに対向する位置には分離パッド（図示せず）が配置される。そして、当該分離部２１は、可動トレイ４０に載置された複数枚の原稿を吸入ローラ２１ａにより引き込み、分離ローラ２１ｂと分離パッドとの協働によって、一枚の原稿のみを分離して搬送方向下流側へ搬送する。
【００３６】
分離部２１により分離された原稿は、搬送ローラ２４ａ及ピンチローラ２３ａにより搬送され、搬送方向下流側に位置する第２イメージセンサ２２の下方を通過して大径搬送ローラ２４ｂに至る。第２イメージセンサ２２は、所謂、密着型イメージセンサ（ＣＩＳ：Contact Image Sensor）により構成されており、導入経路３０側が読取面となるように、搬送経路Ｒに沿って配設されている。当該多機能機１は、第２イメージセンサ２２を用いて、搬送経路を搬送される原稿に画像を読み取ることができる。
【００３７】
大径搬送ローラ２４ｂは、操作パネル５０の左側となる位置に回転自在に軸支されており、駆動モータの駆動により回転駆動する。又、ピンチローラ２３ｂ、２３ｃは、大径搬送ローラ２４ｂに対して右斜め下側から対向する位置に回転可能に軸支されており、大径搬送ローラ２４ｂの回転に伴って従動する。当該大径搬送ローラ２４ｂの外周面は、経路切換機構部３５を構成する湾曲形状の第１ガイド部材３６と共に第１経路３１を構成し、当該大径搬送ローラ２４ｂが回転することによって原稿を第１経路３１に沿って搬送する。尚、後述するように、経路切換機構部３５によって、原稿が搬送される経路が第１経路３１から第２経路３２へ切り換えられた場合、原稿は、大径搬送ローラ２４ｂの回転に伴い、後述する第２経路３２を介して、原稿排出口３２Ａへ搬送される。
【００３８】
排紙部２５は、排紙ローラ２５ａを有している。排紙ローラ２５ａは、大径搬送ローラ２４ｂの右斜め上から対向する位置に回転可能に軸支されている。そして、排紙ローラ２５ａが大径搬送ローラ２４ｂの回転に追従して回転することで、第１経路３１に沿って搬送された原稿を、排紙トレイとして機能する可動トレイ４０に向かって排紙する。原稿カバー部１０における各種ローラや第２イメージセンサ２２を覆うカバー部材１０ｃと、そのカバー部材１０ｃと所定間隔を空けて配設されるガイド面１０ｄとにより排紙経路３３が形成される。この排紙経路３３を排紙ローラ２５ａによって排出された原稿が搬送され、可動トレイ４０に順次積載される。この時、可動トレイ４０上に排紙された原稿の搬送方向後端は、排紙経路３３に残るようになっている。そのため、排紙された原稿が、再び給紙されることはない。
【００３９】
ここで、経路切換機構部３５について説明する。図４に示すように、経路切換機構部３５は、操作パネル５０の左側に隣接して配置され、搬送経路を第１経路３１と第２経路３２とに切り替えており、第１ガイド部材３６と、第２ガイド部材３７と、連結部材３８とにより構成されている。第１ガイド部材３６は、大径搬送ローラ２４ｂの外周面との間で第１経路３１を形成し、湾曲形状を為す板状部材であり、下端部側が搖動可能に軸支されている。第２ガイド部材３７は、第１ガイド部材３６よりも右側に配設され、上下方向に延びる板状部材であり、下端部側が搖動可能に軸支されている。そして、連結部材３８は、一端側が第１ガイド部材３６の上端側と連結され、他端側が第２ガイド部材３７の上端側と連結され、図４の実線で示す位置と、破線で示す位置とに変位可能に構成されている。
【００４０】
当該経路切換機構部３５は、図４において実線で示す状態であれば、大径搬送ローラ２４ｂ外周面と第１ガイド部材３６との間で第１経路３１を形成し、大径搬送ローラ２４ｂによって搬送される原稿を反転させる方向へ導くことができる。そして、図４において破線で示す状態に動作させることで、経路切換機構部３５は、大径搬送ローラ２４ｂによって搬送される原稿を原稿排出口３２Ａに案内する第２経路３２を形成する。具体的には、第１ガイド部材３６と第２ガイド部材３７が傾斜状態となってガイド面１０ｄの右端縁と第２ガイド部材３７との間に原稿排出口３２Ａを形成すると共に、原稿排出口３２Ａに原稿を案内する面を形成する。従って、経路切換機構部３５を変位させることで、原稿が搬送される経路を、第１経路３１と第２経路３２との間で切り換えることができる。
【００４１】
次に、多機能機１におけるスキャナユニット７０の構成について、図１〜図３を参照しつつ詳細に説明する。上述したように、スキャナユニット７０は、本体筐体６０の上部分において、原稿載置面７１を構成するコンタクトガラス７２、第１イメージセンサ７３、スライド軸等を有している。スキャナユニット７０は、第１イメージセンサ７３によって、原稿載置面７１上に載置された原稿の画像を読み取る。また、停止した状態で、自動原稿搬送装置２０によって搬送される原稿の画像を読み取る。
【００４２】
原稿載置面７１は、本体筐体６０の上面を構成するコンタクトガラス７２によって構成され、スキャナユニット７０による画像読取の対象である原稿が載置される部分である。コンタクトガラス７２は、所謂「プラテンガラス」であり、本体筐体６０の左右方向に沿って長辺が位置する最大原稿サイズよりもやや大きな長方形状に形成されている。
【００４３】
第１イメージセンサ７３は、所謂、密着型イメージセンサ（ＣＩＳ：Contact Image Sensor）により構成される。第１イメージセンサ７３は、光源や撮像素子等によって構成され、コンタクトガラス７２側に第１イメージセンサ７３の上面が対向している。そして、第１イメージセンサ７３は、本体筐体６０の左右方向（即ち、副走査方向）に向かって伸びるスライド軸に従って、コンタクトガラス７２下方をスライド移動可能に配設されている。
【００４４】
当該第１イメージセンサ７３は、通常、コンタクトガラス７２左端部下方の初期位置に位置し得る。そして、第１イメージセンサ７３は、初期位置から、最大原稿サイズの長辺に相当する距離分離間した位置までの区間を、コンタクトガラス７２下面に沿ってスライド移動し得る。第１イメージセンサ７３は、コンタクトガラス７２の下方において、初期位置からスライド軸に沿ってスライド移動する際に、コンタクトガラス７２上にセットされた原稿から画像を読み取る。
【００４５】
続いて、画像形成ユニット８０の構成について、図面を参照しつつ詳細に説明する。図１、図２に示すように、当該画像形成ユニット８０は、給紙カセット８１と、用紙供給部８２と、記録ヘッド８５と、プラテン８６と、排出口８７と、用紙取出口８８とを有している。画像形成ユニット８０は、給紙カセット８１に収容されている用紙を、多機能機１の前後方向に沿って搬送しつつ、当該用紙上に画像を形成する。
【００４６】
給紙カセット８１は、本体筐体６０の前面から脱着可能に取り付けられており、被記録媒体である用紙を積層状態で収容可能である。上述したように、用紙は、給紙カセット８１内部において、当該用紙の長辺が多機能機１の左右方向に沿った状態で収容されており、多機能機１の前後方向に沿って延びる所定の搬送路に従って搬送される。従って、当該用紙は、画像形成ユニット８０による画像形成に際して、用紙の長辺側の端部を先頭にして搬送される。
【００４７】
用紙供給部８２は、用紙供給ローラと、用紙搬送ローラ等を有しており、給紙カセット８１に収容されている用紙を、記録ヘッド８５とプラテン８６の間に供給する為に、多機能機１の前後方向に沿って延びる所定の搬送路に沿って搬送する。
【００４８】
記録ヘッド８５は、吐出口を有するノズルを備えており、制御部の制御に従って、当該ノズルを圧電素子等で変形することで、吐出口からインク滴を下方のプラテン８６に向けて吐出する。当該多機能機１は、用紙がプラテン８６上を前方に向かって搬送される過程において、記録ヘッド８５を左右方向へ往復動させつつ、インクを吐出することにより、用紙表面のほぼ全面に画像データに基づく画像を形成し得る。
【００４９】
図１に示すように、記録ヘッド８５は、本体筐体６０の左右両端に位置するヘッド待機位置Ｓの間を、往復移動可能に配設されている。上述したように、給紙カセット８１内において、用紙は、その長手方向が第１回動軸心１０Ｓの軸方向と平行になるように収容されている。そして、図２に示すように、画像形成ユニット８０は、給紙カセット８１内の用紙を、多機能機１の前後方向に延びる経路を搬送しつつ、当該用紙に画像を形成する。従って、用紙表面のほぼ全面に画像を形成する為、左右のヘッド待機位置Ｓの間は、少なくとも用紙の長手寸法以上離間している。図１に示すように、本体筐体６０の左側におけるヘッド待機位置Ｓの上方には、原稿カバー部１０の分離部２１及び可動トレイ４０の第２回動軸心４０Ｓが位置している。
【００５０】
図１、図２に示すように、排出口８７及び用紙取出口８８は、給紙カセット８１の上方に形成されている。排出口８７は、記録ヘッド８５及びプラテン８６の間に対応する位置に開口されており、画像形成ユニット８０により画像が形成された用紙が排出される部分である。用紙取出口８８は、排出口８７を介して排出された用紙が積載される部分である。
【００５１】
以上説明したように、第１実施形態に係る多機能機１によれば、原稿カバー部１０には、自動原稿搬送装置２０と、可動トレイ４０と、操作パネル５０が配設されている。可動トレイ４０は、原稿カバー部１０の左側端部において、前後方向に延びる第２回動軸心４０Ｓ周りに変位可能に配設されている。図１、図３に示すように、可動トレイ４０は、開いた場合に給紙トレイとして機能する。従って、当該多機能機１によれば、原稿カバー部１０の自動原稿搬送装置２０によって、可動トレイ４０上の原稿を搬送しつつ、第１イメージセンサ７３及び第２イメージセンサ２２によって、当該原稿の画像を読み取り得る。
【００５２】
図５に示すように、当該多機能機１によれば、操作パネル５０は、原稿カバー部１０上面における略中央部分に配設されている為、原稿カバー部１０上面であって、且つ、原稿載置面７１の上方となる範囲に位置している。従って、当該多機能機１によれば、操作パネルが装置外部に向かって突出形成される場合に比べて、装置上面の面積を小さくすることができ、装置設定時の省スペース化に貢献し得る。
【００５３】
図１、図３に示すように、可動トレイ４０は、給紙トレイ及び排紙トレイとして使用する場合、操作パネル５０から離れる方向に向かって開かれる為、当該可動トレイ４０上に原稿をセットした場合であっても、原稿によって操作パネル５０が隠れることはない。従って、当該多機能機１によれば、原稿を給紙トレイ上にセットした場合であっても、ユーザは、快適に、操作パネル５０に対する操作を行い得る。
【００５４】
更に、当該多機能機１において、第２回動軸心４０Ｓは、原稿カバー部１０の左側端部に位置しており、可動トレイ４０を操作パネル５０に向かって閉じると、原稿カバー部１０の上面の一部を構成する。つまり、給紙トレイとして使用しない場合に、可動トレイ４０を閉じれば、原稿カバー部１０上面の一部を構成する状態（図１、図３中、破線参照）になる為、当該多機能機１は、当該装置の小型化に対応し得る。
【００５５】
図３に示すように、多機能機１によれば、原稿カバー部１０の中央部分に配設された操作パネル５０の左側に、自動原稿搬送装置２０における搬送経路Ｒの反転部となる第１経路３１が形成されている。従って、原稿カバー部１０において、操作パネル５０と第１経路３１が上下方向に重なることはない。即ち、当該多機能機１によれば、原稿カバー部１０の厚みの増大を抑制することができ、上下方向における多機能機１の小型化を図ることができる。
【００５６】
当該多機能機１によれば、自動原稿搬送装置２０の分離部２１は、原稿カバー部１０の左側部分に配設されている。一方、操作パネル５０は、原稿カバー部１０の中央部分に配設されている（図１、図３等参照）。従って、原稿カバー部１０において、分離部２１と操作パネル５０が上下に重なることはない為、当該多機能機１によれば、原稿カバー部１０の厚みの増大を抑制することができ、上下方向における装置の小型化に貢献し得る。
【００５７】
図１、図３等に示すように、自動原稿搬送装置２０の排紙部２５は、原稿カバー部１０の左側部分に配設されている。一方、操作パネル５０は、原稿カバー部１０の中央部分に配設されている。従って、原稿カバー部１０において、排紙部２５と操作パネル５０が上下に重なることはない為、当該多機能機１によれば、原稿カバー部１０の厚みの増大を抑制することができ、上下方向における装置の小型化に貢献し得る。又、排紙された原稿が操作パネル５０と重なることはない。
【００５８】
又、当該多機能機１によれば、可動トレイ４０は、給紙トレイ及び排紙トレイとして機能させることができるので、専用の排紙トレイを設ける場合に比べ、自動原稿搬送装置２０に係る構成を簡素化することができ、装置の小型化に貢献し得る。
【００５９】
そして、当該多機能機１によれば、搬送経路Ｒにおける第１経路３１と第２経路３２との分岐点に、経路切換機構部３５が配設されているので、搬送経路Ｒを搬送された原稿の経路を、第１経路と、前記第２経路との間で切り換えることができる。そして、当該多機能機１によれば、経路切換機構部３５は、操作パネル５０の左側に配設されている。従って、原稿カバー部１０において、経路切換機構部３５が操作パネル５０と上下方向に重なることはない為、原稿カバー部１０の厚みの増大を抑制することができ、上下方向における装置の小型化に貢献し得る。
【００６０】
又、当該多機能機１は、原稿カバー部１０の自動原稿搬送装置２０内に、搬送経路Ｒに沿って第１イメージセンサ７３を有しており、スキャナユニット７０に第１イメージセンサ７３を有している。従って、当該多機能機１によれば、自動原稿搬送装置２０によって原稿を搬送する過程で、第１イメージセンサ７３及び第２イメージセンサ２２によって、原稿の表面及び裏面の画像を読み取り得る。そして、当該多機能機１によれば、原稿カバー部１０において、第２イメージセンサ２２は、図３に示すように、Ｕ字形状の搬送経路Ｒの内側であって、大径搬送ローラ２４ｂの左側に設けられる。よって、操作パネル５０と上下方向に重ならない位置に配設されている為、原稿カバー部１０の厚みの増大を抑制することができ、上下方向における装置の小型化に貢献し得る。
【００６１】
図１、図３に示すように、可動トレイ４０は、閉じた場合に原稿カバー部１０及び操作パネル５０と同一面を構成する。即ち、当該多機能機１によれば、原稿カバー部１０の上面に凹凸がない為、当該多機能機１の見栄えを向上させることができ、更に、当該多機能機１を収納する際の厚みを小型化し得る。又、装置に突出した部分が存在する場合、運搬作業時の接触等に起因する衝撃が加わると、突出した部分の破損が生じやすい。この点、当該多機能機１は、原稿カバー部１０上面に凹凸がない為、運搬作業時等に破損する可能性を低減し得る。
【００６２】
給紙カセット８１は、用紙の長手方向と、前記第１回動軸心１０Ｓの軸方向が平行となる向きで、用紙を収容している。画像形成ユニット８０は、給紙カセット８１に収容された用紙を用いて、印刷出力を行う為、第１回動軸心１０Ｓの方向（多機能機１の左右方向）に大きくなる。この点、当該多機能機１によれば、その大きくなったスペースを利用して、原稿カバー部１０に自動原稿搬送装置２０、操作パネル５０を効果的に配置できるので、原稿カバー部１０の厚みの増大を抑制できる。多機能機１の前後方向と、用紙の短手方向が一致することになる為、当該多機能機１によれば、第２回動軸心の方向（多機能機１の前後方向）における装置の小型化に貢献し得る。
【００６３】
第１実施形態に係る画像形成ユニット８０は、記録ヘッド８５を有しており、記録ヘッド８５を用いたインクジェット方式により、用紙に画像を形成する。図１、図５に示すように、画像形成ユニット８０において、記録ヘッド８５のヘッド待機位置Ｓは、本体筐体６０における左右両側に位置しており、左側にあたるヘッド待機位置Ｓの上方に、原稿カバー部１０の自動原稿搬送装置２０における分離部２１及び第２回動軸心４０Ｓが位置している。従って、当該多機能機１によれば、画像形成ユニット８０の構造によって長くなった第１回動軸心１０Ｓの軸方向のスペースを利用して、分離部２１や、可動トレイ４０を配置することができ、もって、装置の小型化に貢献し得る
【００６４】
（第２実施形態）
次に、上述した第１実施形態と異なる実施形態（第２実施形態）について、図面を参照しつつ詳細に説明する。尚、第２実施形態に係る多機能機１は、第１実施形態に係る多機能機１と同一の基本的構成を有しており、画像形成ユニットの構成が相違する。従って、第１実施形態と同一の構成に関する説明は省略する。
【００６５】
図６、図７に示すように、画像形成ユニット９０は、スキャナユニット７０の下方において、給紙カセット９１と、プロセスユニット９２と、露光装置９３と、熱定着部９４と、給電部９５と、駆動機構部９６と、排出口９７と、用紙取出口９８を有している。そして、当該画像形成ユニット９０は、制御部による制御に基づいて、露光装置９３からのレーザ光を用いて、入力された画像データに基づく画像を給紙カセット８１内の用紙へ印刷出力する。
【００６６】
給紙カセット９１は、第１実施形態に係る給紙カセット８１と同様に、被記録媒体である用紙を積層状態で収容している。尚、スキャナユニット７０は、第１イメージセンサ７３によって、原稿載置面７１上に載置された原稿の画像を読み取る。また、停止した状態で、自動原稿搬送装置２０によって搬送される原稿の画像を読み取る。
【００６７】
プロセスユニット９２は、露光装置９３の上方における所定位置に対して着脱自在に装着される。当該プロセスユニット９２は、感光ドラム９２Ａと、感光ドラム９２Ａの外周面を一様に帯電させる帯電器と、感光ドラム９２Ａ表面に形成された静電潜像に対してトナーを供給する現像ローラと、現像ローラに対してトナーを供給する供給ローラと、層厚規制ブレードと、トナー収容部と、感光ドラム９２Ａ外周面のトナーを用紙に転写する為の転写ローラを有している。
【００６８】
感光ドラム９２Ａは、プロセスユニット９２内部に回転可能に支持されており、円筒状の導電性を有するドラム本体により構成される。そして、感光ドラム９２Ａは、当該ドラム本体の外周面に、帯電性の感光層を有している。当該感光ドラム９２Ａの感光層には、露光装置９３のレーザ光により、画像に対応する静電潜像が形成される。
【００６９】
露光装置９３は、本体筐体６０下部に配設されており、レーザ発光部と、ポリゴンミラーと、レンズと、反射鏡と、を有している。レーザ発光部から照射されるレーザ光は、用紙に形成される画像に基づいており、ポリゴンミラー、レンズ、反射鏡を介して、プロセスユニット９２を構成する感光ドラム９２Ａ表面へ照射される。後述するように、画像に対応する静電潜像は、このレーザ光により、当該感光ドラム９２Ａ表面に形成される。
【００７０】
熱定着部９４は、プロセスユニット９２と排出口９７との間に設けられており、加熱ローラと、加圧ローラとを有している。当該熱定着部９４は、加熱ローラ及び加圧ローラによって、プロセスユニット９２によって用紙に転写されたトナーを加熱溶融し、形成された画像を用紙Ｐに熱定着する。
【００７１】
図６、図８に示すように、給電部９５は、本体筐体６０内において、プロセスユニット９２等の左側に配設されており、画像形成ユニット９０による画像形成を行う為の電力供給を担う。そして、駆動機構部９６は、本体筐体６０内において、プロセスユニット９２等の右側に配設されており、画像形成ユニット９０により画像を形成する為に、感光ドラム９２Ａ等に対して駆動力を伝達する。
【００７２】
図６、図７に示すように、排出口９７及び用紙取出口９８は、本体筐体６０の前面側に着脱可能に取り付けられた給紙カセット９１の上方に形成されている。排出口９７は、熱定着部９４に対応する位置に開口されており、画像形成ユニット９０により画像が形成された用紙が排出される部分である。用紙取出口９８は、排出口９７を介して排出された用紙が積載される部分である。
【００７３】
以上説明したように、第２実施形態に係る多機能機１によれば、画像形成ユニットに係る部分を除いて、上述した第１実施形態に係る多機能機１と同様の効果を奏することができ、原稿カバー部１０の厚みの増大を抑制することができ、上下方向における装置の小型化に貢献し得る。
【００７４】
そして、第２実施形態に係る多機能機１において、上述したように、画像形成ユニット９０の給電部９５は、本体筐体６０内において、プロセスユニット９２の左側に配設されている。そして、自動原稿搬送装置２０は、原稿カバー部１０の左側に配設されている。即ち、第２実施形態に係る多機能機１によれば、自動原稿搬送装置２０は、給電部９５の上方に位置するので、画像形成ユニット９０の構造によって長くなった第１回動軸心１０Ｓ方向（多機能機１の左右方向）のスペースを利用して、自動原稿搬送装置２０を配置することができ、もって、装置の小型化に貢献し得る。
【００７５】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、スキャナ機能、及びプリンタ機能を有する多機能機を例として挙げて説明したが、この態様に限定されるものではない。即ち、本発明は、スキャナ装置（所謂、フラットベッドスキャナ）や、スキャナ機能と、プリンタ機能を有するコピー機として構成しても良い。
又、原稿カバー部１０は、第１回動軸心１０Ｓ周りに回動するように構成されていたが、原稿載置面７１の上面を覆う位置と開放する位置に変位可能であれば、軸心周りの回動に限定されるものではない。同様に、可動トレイ４０は、第２回動軸心４０Ｓ周りに回動するように構成されていたが、給紙トレイ（排紙トレイ）として機能する位置と、原稿カバー部１０の上面として機能する位置とに変位可能であれば、軸心周りの回動に限定されるものではない。
更に、上記実施形態では、給電部９５を本体筐体６０内の左側、駆動機構部９６を右側に配置したが、逆に配置してもよい。
【符号の説明】
【００７６】
１      多機能機
１０    原稿カバー部
１０Ｓ  第１回動軸心
２０    自動原稿搬送装置
２２    第２イメージセンサ
３０    導入経路
３１    第１経路
３２    第２経路
３３    排紙経路
４０    可動トレイ
４０Ｓ  第２回動軸心
５０    操作パネル
７０    スキャナユニット
７１    原稿載置面
７２    コンタクトガラス
Ｒ      搬送経路
【図１】
2014072717.tif 000003
【図２】
2014072717.tif 000004
【図３】
2014072717.tif 000005
【図４】
2014072717.tif 000006
【図５】
2014072717.tif 000007
【図６】
2014072717.tif 000008
【図７】
2014072717.tif 000009
【図８】
2014072717.tif 000010